(57)【要約】      （修正有）【課題】輪列受に形成された穴を介して内部に侵入した光により歩度が変化するおそれが低い電子時計を提供する。【解決手段】電子時計５００は、輪列５０２と、光を透過する穴が形成され、且つ、輪列５０２を保持する輪列受５０７と、基準周波数を示す基準周波数信号を生成する発振回路５４０と、発振回路５４０によって生成された基準周波数信号に基づいて輪列５０２を駆動するモータ５０１とを有し、発振回路５４０は、光を透過しない収容部材によって収容される。【選択図】図１６
2019164112.tif 000002
【特許請求の範囲】
【請求項１】
輪列と、
光を透過する穴が形成され、且つ、前記輪列を保持する輪列受と、
基準周波数を示す基準周波数信号を生成する発振回路と、
前記発振回路によって生成された前記基準周波数信号に基づいて前記輪列を駆動するモータと、を有し、
前記発振回路は、光を透過しない収容部材によって収容される、ことを特徴とする電子時計。
【請求項２】
前記発振回路に電力を供給する電池と、
前記輪列を駆動可能な巻真と、を更に有し、
前記発振回路は、平面視したときに、前記モータ、前記電池及び前記巻真の何れにも重畳しないように配置される、請求項１に記載の電子時計。
【請求項３】
前記発振回路は、水晶振動子と、前記水晶振動子に電流を供給する共に、前記水晶振動子の振動に基づいて前記基準周波数信号を生成する半導体回路と、を有し、
前記水晶振動子及び前記半導体回路の双方は、前記収容部材によって収容される、請求項１又は２に記載の電子時計。
【請求項４】
前記輪列受の表面は、入射した光を反射しにくくする反射抑止層が形成される、請求項１〜３の何れか一項に記載の電子時計。
【請求項５】
輪列と、
前記輪列を保持する輪列受と、
光を透過する透過部が形成され且つ前記輪列が駆動されることに応じて回転する位置検出用歯車、前記透過部に光を放射する発光素子、及び前記発光素子から放射された光を前記透過部を介して受光する受光素子を有する針位置検出機構と、を有し、
前記輪列受は、平面視したときに前記位置検出用歯車と重畳する重畳部に光を透過する穴が形成されず、且つ、前記重畳部以外の部分に前記穴が形成される、ことを特徴とする電子時計。
【請求項６】
前記輪列受の表面は、入射した光を反射しにくくする反射抑止層が形成される、請求項５に記載の電子時計。
【請求項７】
前記反射抑止層は、黒メッキである、請求項６に記載の電子時計。
【発明の詳細な説明】
【技術分野】
【０００１】
本願は、電子時計に関する。
【背景技術】
【０００２】
電子時計は、一般的に、ムーブメントの構成部品を位置決め及び／又は支持する板状の部品である受板（又は、単に受とも称され得る）を含む。従来、受板を取り付けるための様々な構成が知られている。特許文献１には、太陽電池を支持する金属板を取り付けるための構成が開示されている。金属板の周縁に、下方に折り曲げられたフック部が設けられており、金属板の裏面側に位置する回路支持台に、側方に突出するフック係合部が設けられており、フック部をフック係合部に係合させることによって、金属板が回路支持台に取り付けられている。
【０００３】
また、特許文献２には、時計ムーブの輪列受に光が透過する穴を形成すると共に地板に反射処理を施して、輪列受の穴にビーム光を照射して輪列の動きを確認する技術が記載されている。特許文献２に記載される技術は、地板に反射処理を施すことにより地板で反射するビームを減少させることで歯車での変調光をより高い割合で受光できるので、歯車の高さの変動にかかわらずビームの焦点を合せずに効率的な検査が可能になる。
【先行技術文献】
【特許文献】
【０００４】
【特許文献１】国際公開第００／０３３１０号
【特許文献２】特開平４−２４０５８７号公報
【発明の概要】
【発明が解決しようとする課題】
【０００５】
電子時計に搭載され、基準周波数を示す基準周波数信号を生成する発振回路は、水晶振動子と、水晶振動子に電流を供給する共に、水晶振動子の振動に基づいて基準周波数信号を生成する半導体回路とを有する。半導体回路は、光が照射されると、特性が変化して、生成する基準周波数信号に対応する発振周波数が変化するおそれがある。特許文献２に記載される電子時計では、時計ムーブの輪列受に形成された穴を光が透過して、発振回路が有する半導体回路に照射し、半導体回路が生成する基準周波数信号に対応する発振周波数が変化するおそれがある。
【０００６】
本開示は、輪列受に形成された輪列動作を確認するための穴を介して内部に侵入した光により歩度が変化するおそれが低い電子時計を提供することを目的の１つとする。
【課題を解決するための手段】
【０００７】
本開示の一態様は、輪列と、光を透過する穴が形成され、且つ、輪列を保持する輪列受と、基準周波数を示す基準周波数信号を生成する発振回路と、発振回路によって生成された基準周波数信号に基づいて輪列を駆動するモータと、を有し、発振回路は、光を透過しない収容部材によって収容される、電子時計である。
【発明の効果】
【０００８】
本開示の一態様に係る電子時計では、発振回路は、光を透過しない収容部材によって収容される。したがって、基準周波数信号を生成する発振回路に光が照射されることにより、発振回路の特性が変化するおそれが低いので、電子時計は、穴を介して内部に侵入した光により歩度が変化するおそれは低い。
【図面の簡単な説明】
【０００９】
【図１】電子時計を示す平面図である。
【図２】図１の電子時計の一部を示す断面図である。
【図３】図１の電子時計の一部を示す他の断面図である。
【図４】図２中のIＶ-IＶ矢視断面図である。
【図５】プレス成形後かつ型押し前のソーラーセル受板を示す底面図である。
【図６】係合部が形成されたソーラーセル受板を示す底面図である。
【図７】図１の電子時計の一部を示すさらに他の断面図である。
【図８】図１の電子時計の回路構成を示す図である。
【図９】他の実施形態に係る電子時計のソーラーセル受板をモータと共に示す平面図である。
【図１０】図９中の方向Ｄに沿った電子時計の一部を示す断面図である。
【図１１】さらに他の実施形態に係る電子時計の部分断面図である。
【図１２】図１１の電子時計の底面図である。
【図１３】さらに他の実施形態に係る電子時計の部分断面図である。
【図１４】裏蓋を透過した電子時計の背面図である。
【図１５】領域Ｙの拡大図である。
【図１６】さらに他の実施形態に係る電子時計の裏蓋を透過した電子時計の背面図である。
【図１７】図１６に示す電子時計の輪列透視図である。
【図１８】図１６中の矢印Ａで示される領域の拡大図である。
【図１９】図１８中の矢印Ｆで示される領域の拡大図である。
【図２０】（ａ）は図１６中のＢ-Ｂ矢視断面図であり、（ｂ）は図１７中のＥ-Ｅ矢視断面図である。
【図２１】（ａ）は図２０（ｂ）中の矢印Ｇで示される領域の拡大図であり、（ｂ）は図２０（ｂ）中の矢印Ｈで示される領域の拡大図である。
【図２２】（ａ）は図１６中のＤ-Ｄ矢視断面図であり、（ｂ）は（ａ）中のＩ-Ｉ矢視断面図である。
【図２３】図１６の電子時計に搭載される構成素子の接続関係を示すブロック図である。
【図２４】図１６中のＣ-Ｃ矢視断面図である。
【発明を実施するための形態】
【００１０】
以下、添付図面を参照して、実施形態に係る電子時計を説明する。同様な又は対応する要素には同一の符号を付し、重複する説明は省略する。理解を容易にするために、図の縮尺は変更されている場合がある。
【００１１】
図１は、電子時計を示す平面図である。本開示の電子時計１００は、ソーラーセル（太陽電池）で得られた発電電力を駆動源として利用するソーラーセル付電子時計であり、指針（時針Ｈ１、分針Ｈ２及び秒針Ｈ３）で時刻を表示する腕時計である。
【００１２】
図２は、図１の電子時計の一部を示す断面図である。電子時計１００は、文字板１と、ムーブメント２と、を備えている。以下の説明では、便宜上、文字板１において、指針と共に時刻を示す面（図２において上面）を表面１１と称し、表面１１と反対側の面を背面１２と称す。また、ムーブメント２の各要素において、文字板１に近い面を表面と称し、表面と反対側の面を背面と称する。
【００１３】
文字板１は、表面１１で受光した光でソーラーセル２１（後述）が発電するため、光透過性又は光半透過性の部材１３を有する。本開示における用語「光透過性」及び「光半透過性」とは、ソーラーセル２１の発電に必要な波長の光が透過できることを意味しており、部材１３は、例えば、ポリカーボネート樹脂若しくはアクリル樹脂等の樹脂材、又は、ガラス材や複数の孔が空いた金属板などを含む。
【００１４】
ムーブメント２は、ムーブメント本体２０と、ソーラーセル２１と、ソーラーセル受板２２と、を有しており、ムーブメント本体２０は、地板２３と、耐磁板２４と、巻真スペーサ２５と、回路基板２６と、を含んでいる。
【００１５】
ソーラーセル２１は、文字板１の背面１２と対向している。ソーラーセル２１と文字板１の背面１２との間には、スペーサＳＰを配置し、ソーラーセル２１が文字板１と接触し、文字板１にソーラーセル２１が写り込み、文字板１の美観を損なうことを防止するため、文字板１とソーラーセル２１との間に隙間Ｇをもたらす。本開示のソーラーセル２１は円形の平板であるが、楕円形又は多角形等の他の形状であってもよい。本開示のソーラーセル２１はフィルムなどの薄い素材で形成されており、ソーラーセル受板２２に貼り付けられている。
【００１６】
ソーラーセル受板２２は、ソーラーセル２１と対応する平板形状を有しており、ソーラーセル２１を支持する。ソーラーセル受板２２は、時針Ｈ１、分針Ｈ２及び秒針Ｈ３を駆動するモータが外部からの磁界影響によって駆動できなくなることを軽減するために、高い透磁率を有する金属（以下、強磁性金属と称する。）から作製されている。「高い透磁率」とは、外部から励磁される磁気を通し易い度合いが高いことを意味し、強磁性金属は形状変形による応力によって磁化（磁気特性が変化）し、磁気焼鈍をすることによって磁化を解消することができる。耐磁板２４も、ソーラーセル受板２２と同様に、外部からの磁界による影響を軽減するために、強磁性金属から作製されているが、ムーブメント２の厚さを薄くするために巻き真スペーサ２５を囲むように配置されている。巻真スペーサ２５は、樹脂材によって作製されている。
【００１７】
図３は、図１の電子時計の一部を示す他の断面図である。ムーブメント本体２０は、モータＭを更に有している。モータＭは、コイルＣと、ロータＲと、ステータＳＴと、を有している。コイルＣ及びステータＳＴは、ソーラーセル受板２２の表面又は背面に対して垂直な方向（図３において左右方向）から見た場合（以下、平面視と称する）に、ソーラーセル受板２２と重複して配置されている。
【００１８】
図１４は裏蓋を透過した電子時計１００の背面図であり、図１５は図１４の領域Ｙの拡大図である。上述のロータＲは秒車９０５を含む歯車を介して時刻を表示する指針（時針Ｈ１、分針Ｈ２及び秒針Ｈ３）が係合される車を回動させる。秒針Ｈ３は秒車９０５と係合して接続され、秒車９０５は１秒に６度毎、回動する。また、輪列受には穴９０４ａ、９０４ｂ、９０４ｃを設け、裏蓋がガラスなどの透過部材で形成されている場合は時計が動作していることが視認できるようにしてもよい。
【００１９】
図２を参照して、ムーブメント２は、更に、ソーラーセル受板２２の取付け構造として、フック３と、ソーラーセル受板２２に設けられた係合部４と、を有している。
【００２０】
フック３は、フック３の第１の端部３Ａを含む第１の部分３１と、フック３の第２の端部３Ｂを含む第２の部分３２と、第１の部分３１及び第２の部分３２の間の湾曲部３３と、を具備している。
【００２１】
第１の部分３１は、細長い直線部分３１ａと、直線部分３１ａから略直角に突出する突出部３１ｂと、を含んでいる。直線部分３１ａは、その長手方向において係合部４よりも長い。第２の部分３２は、直線部分３２ａと、直線部分３２ａから直角に突出する突出部３２ｂと、を含んでいる。湾曲部３３は、概ねＵ字形状を有しており、可撓性を有している。第１の部分３１の直線部分３１ａは、湾曲部３３のＵ字の一方の端部からＵ字の直線部分に対して平行に延びており、第２の部分３２の直線部分３２ａは、湾曲部３３のＵ字の他方の端部からＵ字の直線部分に対して直角に延びている。なお、第１の部分３１の長さが可撓性を有するために充分であれば、Ｕ字状の湾曲部３３は不要である（例えば、図１３参照）。
【００２２】
係合部４は、ソーラーセル受板２２の外周縁よりも内側に設けられている。図４は、図２中のIＶ-IＶ矢視断面図である。係合部４は、ソーラーセル受板２２から背面２２ａ方向へ突出しており、孔４１を具備している。孔４１は、フック３の第１の端部３Ａ（具体的には、突出部３１ｂ）を受け入れる。
【００２３】
図２を参照して、フック３の第２の端部３Ｂは、絶縁部材である巻真スペーサ２５と回路基板２６との間に固定されている。巻真スペーサ２５は、孔２５ａを有しており、フック３の突出部３２ｂが孔２５ａに挿入されている。
【００２４】
係合部４はソーラーセル受板２２の一部として強磁性金属から作製されているため、係合部４が変形した場合、ソーラーセル受板２２全体の磁気特性が変化してしまう。また、強磁性金属は、一般的に比較的低い降伏応力を有しており塑性変形しやすい。そこで、本実施形態では、フック３が係合部４よりも高い可撓性を有して係合部４の変形を防止するように設計されている。
【００２５】
具体的には、フック３は、湾曲部３３のＵ字の一対の直線部を互いに近づけるように湾曲部３３を弾性変形させることによって、第１の端部３Ａを変位させることができるようになっており、ソーラーセル受板２２を変形させることなく、第１の端部３Ａが係合部４の孔４１に受け入れられるようになっている。また、フック３の第１の部分３１が細長い直線部分３１ａを有することによって、フック３の第１の端部３Ａから湾曲部３３により大きな曲げトルクが作用するため、湾曲部３３を容易に弾性変形させることができる。
【００２６】
本開示のフック３は、金属などの導電材料によって、他の要素と別個の部品として作製されているが、回路基板２６とは電気的に絶縁されている。
【００２７】
次にソーラーセル受板２２の作成方法について説明する。図５は、曲げ加工前のソーラーセル受板の展開形状を示す底面図であり、図６は、係合部が形成されたソーラーセル受板を示す底面図である。係合部４は、ソーラーセル受板２２の製造の際に同時に形成することができる。先ず、図５に示されるように、板材をプレス成形することによって、板材とまだ面一である係合部４が形成される。続いて、図５の板材を型押しすることによって、図６に示されるように、係合部４が曲げられて、背面２２ａから突出し、図６の状態で焼鈍を施すことによってソーラーセル受板２２全体の磁気特性の変化を解消する。以上のステップによって、係合部４が形成される。本開示のソーラーセル受板２２には、複数の係合部４が設けられている。
【００２８】
次にソーラーセル２１と回路基板２６の電気的接続関係について説明を行う。図７は、図１の電子時計の他の一部を示す断面図であり、図８は、図１の電子時計の回路構成を示す図である。ムーブメント２は、更に、ソーラーセル接続ばねＢ１と、アンテナ接続ばね（バネ部材）Ｂ２と、を有している。
【００２９】
ソーラーセル接続ばねＢ１は、ソーラーセル２１と回路基板２６中の制御回路ＣＣとを電気的に接続しており、ソーラーセル２１で発電された電力を制御回路ＣＣに送る。ソーラーセル接続ばねＢ１は、プラス側のソーラーセル接続ばねＢ１＋と、マイナス側のソーラーセル接続ばねＢ１−と、を含んでいる。
【００３０】
アンテナ接続ばねＢ２は、ソーラーセル受板２２と回路基板２６中の制御回路ＣＣとを電気的に接続しており、これによって、ソーラーセル受板２２を所定の電位に設定することができるため、ソーラーセル受板２２をアンテナとして使用することが可能となり、制御回路ＣＣがソーラーセル受板２２を介して外部通信機器と容量結合による通信が可能となる。また、本発明ではアンテナ接続ばねＢ２がソーラーセル受板２２と制御回路ＣＣとを電気的に接続していたが、フック３を用いてソーラーセル受板２２と制御回路ＣＣとを電気的に接続しても良い。
【００３１】
以上のような本開示の電子時計１００では、ソーラーセル受板２２を取り付ける際にフック３を弾性変形させることによって、フック３の一方の端部３Ａがソーラーセル受板２２の係合部４に受け入れられるため、ソーラーセル受板２２の変形を抑制することができる。よって、強磁性金属製のソーラーセル受板２２を使用しても、受板の塑性変形さらには磁気特性の変化を防止することができ、耐磁性能を向上させることができる。
【００３２】
また、電子時計１００では、平面視において、ソーラーセル受板２２と、モータＭの少なくとも一部とが、重複して配置されている。したがって、耐磁性能をより向上させることができる。
【００３３】
また、電子時計１００では、フック３は、係合部４よりも高い可撓性を有している。したがって、係合部４がフック３よりも変形し難く、ソーラーセル受板２２の変形をより抑制することができる。したがって、耐磁性能をさらに向上させることができる。
【００３４】
また、電子時計１００では、ソーラーセル受板２２は、ソーラーセル２１を支持している。したがって、ソーラーセル２１を固定することができる。
【００３５】
また、電子時計１００では、ムーブメント２は、ムーブメント本体２０の回路基板２６とソーラーセル受板２２とを電気的に接続するバネ部材Ｂ２を有している。したがって、ソーラーセル受板２２をアンテナ（例えば、歩度測定のためのアンテナ）としても利用することが可能となる。また、接続部材としてバネが用いられることで、安定した通信が可能になる。
【００３６】
次に、電子時計の他の実施形態について説明する。
【００３７】
図９は、他の実施形態に係る電子時計のソーラーセル受板をモータと共に示す平面図である。電子時計２００は、外部から印加される磁界に対してモータＭが最も影響を受ける方向Ｄ上に係合部４が更に配置されている点で、上記の電子時計１００と異なる。なお、図９では、理解を明瞭にするために、ソーラーセル受板２２及びモータＭ以外の要素は省略されていることに留意されたい。
【００３８】
モータＭでは、コイルＣからの磁界がステータＳＴに沿って生じる。ロータＲの周辺では、より多くの磁束線がロータＲを通過するように、ステータＳＴにスリットＳＬが設けられている。スリットＳＬに垂直な方向が、外部から印加される磁界に対してモータＭが最も影響を受ける方向Ｄとして定義される。本開示の電子時計２００では、方向Ｄ上に２つの係合部４がロータＲを挟んで配置されている。
【００３９】
図１０は、図９中の方向Ｄに沿った電子時計の一部を示す断面図である。外部から電子時計２００に方向Ｄに沿った磁界が印加されると、磁束流ＭＦは、強磁性金属で作製された係合部４を経由してソーラーセル受板２２を通る。したがって、磁束流ＭＦがロータＲを通過することが抑制される。
【００４０】
以上のような本開示の電子時計２００は、上記の電子時計１００と略同様な効果を奏し得る。また、電子時計２００では、係合部４が、平面視において、外部から印加される磁界に対してモータＭが最も影響を受ける方向Ｄ上に配置されている。したがって、外部からの磁束流ＭＦは、強磁性金属で作製された係合部４を経由してソーラーセル受板２２を通るため、磁束流ＭＦがロータＲを通過することが抑制される。したがって、耐磁性能をさらに向上することができる。
【００４１】
次に、電子時計のさらに他の実施形態について説明する。
【００４２】
図１１は、さらに他の実施形態に係る電子時計の部分断面図である。電子時計３００は、フック５が絶縁部材の地板２３と巻真スペーサ２５（図１１において巻真スペーサ２５は不図示）に挟まれて固定されている点で、上記の電子時計１００と異なる。フック５は、地板２３の底面に配置されており、地板２３の底面に沿うように平たい形状を有している。
【００４３】
図１２は、図１１の電子時計のソーラーセル受板及びフックを示す底面図である。フック５は、フック５の第１の端部５Ａを含む第１の部分５１と、フック５の第２の端部５Ｂを含む第２の部分５２と、第１の部分５１及び第２の部分５２の間の略円弧状の湾曲部５３と、を具備している。
【００４４】
第１の部分５１は、湾曲部５３の円弧の一方の端部に連結されている。第１の部分５１の先端部は、平面視において先細りにされている。更に、第１の部分５１の先端部は、側面視においても（図１１において紙面に垂直な方向から見て）テーパを有していてもよい。第１の部分５１の先端部は、係合部４の孔４１に挿入されており、これによって、フック５の一方の端部５Ａが係合部４に固定されている。
【００４５】
第２の部分５２は、湾曲部５３の円弧の他方の端部に連結されている。第２の部分５２には複数の貫通孔が形成されており、これらの貫通孔に地板２３の底面に設けられた突起部２３ａが嵌合され、これによって、フック５の他方の端部５Ｂが地板２３に固定されている。湾曲部５３は、可撓性を有している。
【００４６】
フック５は、湾曲部５３の円弧の両端部を互いに近づけるように湾曲部５３を弾性変形させることによって、第１の端部５Ａを変位させることができるようになっており、これによって、ソーラーセル受板２２を変形させることなく、第１の端部５Ａが係合部４の孔４１に受け入れられるようになっている。このため、電子時計１００のフック３は細長い直線部分３１ａによって弾性を得るため、ムーブメント２の厚みに制約が生じてしまっていたが、本開示の電子時計２００のフック５は湾曲部５３を平面方向に伸ばすことによって弾性を得ることが出来るため、ムーブメント２の厚みをさらに薄くすることが出来る。
【００４７】
以上のような本開示の電子時計３００は、上記の電子時計１００と略同様な効果を奏し得る。また、電子時計３００では、フック５が平たいコンパクトな形状を有しているため、フック５の材料を低減することができる。
【００４８】
次に、電子時計のさらに他の実施形態について説明する。
【００４９】
図１３は、さらに他の実施形態に係る電子時計の部分断面図である。電子時計４００は、フック６が樹脂材によって巻真スペーサ２５と一体に作製されている点で、上記の電子時計１００と異なる。
【００５０】
フック６は、フック６の第１の端部６Ａを含む第１の部分６１と、フック６の第２の端部６Ｂを含む第２の部分６２と、を具備している。
【００５１】
第１の部分６１は、上記の第１の部分３１と略同様に構成されており、細長い直線部分６１ａと、直線部分６１ａから略直角に突出する突出部６１ｂと、を含んでいる。直線部分６１ａは、その長手方向において係合部４よりも長い。第２の部分６２の一方の端部は、直線部分６１ａの端部に連結されており、第２の部分６２の他方の端部は、絶縁部材である巻真スペーサ２５の底面と一体に形成されている。
【００５２】
フック６では、細長い直線部分６１ａが可撓性を有しており、直線部分６１ａ又は突出部６１ｂを押して直線部分６１ａを弾性変形させることによって、第１の端部６Ａを変位させることができるようになっており、これによって、ソーラーセル受板２２を変形させることなく、第１の端部６Ａ（具体的には突出部６１ｂ）が係合部４の孔４１に受け入れられるようになっている。
【００５３】
以上のような本開示の電子時計４００は、上記の電子時計１００と略同様な効果を奏し得る。また、電子時計４００では、フック６が巻真スペーサ２５と一体に作製されているため、部品点数を低減することができ、組立を容易にすることができる。
【００５４】
次に、電子時計のさらに他の実施形態について説明する。
【００５５】
図１６はさらに他の実施形態に係る電子時計の裏蓋を透過した電子時計の背面図であり、図１７は図１６に示す電子時計の輪列透視図であり、図１８は図１６中の矢印Ａで示される領域の拡大図であり、図１９は図１８中の矢印Ｆで示される領域の拡大図である。図２０（ａ）は図１６中のＢ-Ｂ矢視断面図であり、図２０（ｂ）は図１７中のＥ-Ｅ矢視断面図である。図２１（ａ）は図２０（ｂ）中の矢印Ｇで示される領域の拡大図であり、図２１（ｂ）は図２０（ｂ）中の矢印Ｈで示される領域の拡大図である。図１８において、回路押板及び輪列受により視認されない構成素子は、破線で示される。
【００５６】
電子時計５００は、ステップモータ５０１と、輪列５０２と、電池５０３と、発振装置５０４と、針位置検出機構５０５と、電子回路５０６と、輪列受５０７と、巻真５０８とを有する。電子回路５０６は、制御回路５６１と、機能回路５６２とを有する。ステップモータ５０１〜巻真５０８は、地板５９１に搭載されてケース５９０に収容される。
【００５７】
ステップモータ５０１は、単にモータとも称され、コイル５１０と、ステータ５１１と、ロータ５１２とを有する。ステップモータ５０１は、発振装置５０４が生成する基準周波数信号に基づいて輪列５０２を駆動して、時針、分針及び秒針を含む指針を運針する。コイル５１０は、機能回路５６２から出力されるパルス信号によって磁力を発生し、ステータ５１１を介してロータ５１２に磁力を供給してロータ５１２を回動する。ステータ５１１は、ＰＣパーマロイ及び４２Ｎｉパーマロイ等の磁性体により形成される。
【００５８】
輪列５０２は、五番車５２１と、秒針が取り付けられ、秒車とも称される四番車５２２と、分針が取り付けられる中心車及び時針が取り付けられる筒車５２３とを含む複数の車を有する。五番車５２１は、ロータ５１２に噛合され、ロータ５１２の回転に応じて回転する。四番車５２２は、五番車５２１の回転に応じて回転し、四番車５２２に取り付けられる秒針を回転する。四番車５２２の回転に応じて、中心車に取り付けられる分針及び筒車５２３に取り付けられる時針が回転する。
【００５９】
電池５０３は、例えば、コイン型リチウム二次電池等の二次電池であり、発振装置５０４、制御回路５６１及び機能回路５６２等に電力を供給する電力供給源である。
【００６０】
図２２（ａ）は図１６中のＤ-Ｄ矢視断面図であり、図２２（ｂ）は図２２（ａ）中のＩ-Ｉ矢視断面図である。
【００６１】
発振装置５０４は、水晶振動子５４１と、温度検出素子５４２と、半導体回路５４３と、筐体５４４と、リッド５４５とを有し、回路基板５９３を介して回路押板５９２に搭載される。発振装置５０４は、電子時計５００を平面視したときに、ステップモータ５０１、電池５０３及び巻真５０８の何れにも重畳しないように配置される。
【００６２】
水晶振動子５４１は、例えばＡＴ振動子であり、一端が導電性接着剤等の支持部５４６により筐体５４４に支持される。水晶振動子５４１は、半導体回路５４３から指示部５４６を介して電流が供給されることに応じて、所定の発振周波数で振動する。半導体回路５４３は温度検出素子５４２を内蔵しており、筐体５４４の内部の温度変化を検出することができる。
【００６３】
半導体回路５４３は、シリコン基板上に形成される半導体回路であり、水晶振動子５４１に電流を供給する共に、電流が供給されることによる水晶振動子５４１の振動に基づいて基準周波数信号を生成する。生成する半導体回路５４３によって生成された基準周波数信号は、例えばワイヤ５４７並びに筐体５４４の表面及び内部に形成される金属配線を介して、筐体５４４の外部に出力される。半導体回路５４３は、水晶振動子５４１と共に発振回路５４０を形成する。
【００６４】
また、半導体回路５４３は、測定した温度信号を制御回路５６１に出力する。
【００６５】
筐体５４４及びリッド５４５は、光を透過しない収容部材であり、水晶振動子５４１、温度検出素子５４２及び半導体回路５４３を収容する。筐体５４４は、セラミック、エポキシ樹脂等の光を透過しない合成樹脂を成形加工することで形成される。筐体５４４は、水晶振動子５４１及び半導体回路５４３が収納される凹部が形成される。リッド５４５は、光を透過しない金属等により形成され、水晶振動子５４１、温度検出素子５４２及び半導体回路５４３が収納される筐体５４４の凹部を覆う蓋として機能する。
【００６６】
針位置検出機構５０５は、秒位置検出車５５０と、発光素子５５１と、受光素子５５２とを有する。秒位置検出車５５０は、光を透過する透過部５５３が形成され且つ輪列が駆動されることに応じて回転する。秒位置検出車５５０は、五番車５２１の回転に応じて回転する。透過部５５３は、秒位置検出車５５０の基準位置を示す貫通孔である。
【００６７】
発光素子５５１は、例えばＬＥＤであり、機能回路５６２から発光信号が入力さることに応じて、透過部５５３に光を放射する。受光素子５５２は、例えばフォトトランジスタであり、発光素子５５１から放射された光を透過部５５３を介して受光する。受光素子５５２は、発光素子５５１から放射された光を受光したことを示す受光信号を、制御回路５６１に出力する。
【００６８】
電子回路５０６は、制御回路５６１と、機能回路５６２とを有し、発振装置５０４と共に回路基板５９３に搭載される。制御回路５６１は、例えばＣＰＵであり、電子時計５００の全体の動作を制御すると共に、発振装置５０４から入力される温度信号に対応する温度から、基準周波数信号の補正に使用される補正信号を生成する。また、制御回路５６１は、カウンタリセット信号等を機能回路５６２に出力することで機能回路５６２を制御する。
【００６９】
機能回路５６２は、シリコン基板上に形成される半導体回路であり、発振装置５０４から入力される基準周波数信号に基づいて、ステップモータ５０１を駆動するリアルタイムクロックを生成する。機能回路５６２は、基準周波数信号が入力された回数を計数するカウンタ回路を有する。
【００７０】
図２３は、ステップモータ５０１、発振装置５０４、発光素子５５１、受光素子５５２、制御回路５６１及び機能回路５６２の接続関係を示すブロック図である。
【００７１】
発振装置５０４は、半導体回路５４３によって推定された温度を示す温度信号を機能回路５６２を介して制御回路５６１に出力する。制御回路５６１は、発振装置５０４から入力される温度信号に対応する温度から、基準周波数信号の補正に使用される補正信号を生成し、生成した補正信号を機能回路５６２を介して発振装置５０４に出力する。
【００７２】
また、半導体回路５４３は、電流を供給することにより発生する水晶振動子５４１の振動に基づく基準周波数信号を生成する。半導体回路５４３は、基準周波数信号を生成するときに、制御回路５６１から入力された補正信号に基づいて、温度による影響を低減するように基準周波数信号を補正する。発振装置５０４は、半導体回路５４３によって生成された基準周波数信号を機能回路５６２に出力する。機能回路５６２は、発振装置５０４から入力される基準周波数信号に基づいて時刻をカウントするリアルタイムクロックを駆動して時刻信号を生成し、制御回路５６１に時刻情報を出力すると同時に１秒ごとにステップモータ５０１を駆動するパルス信号をステップモータ５０１に出力する。ステップモータ５０１は、機能回路５６２から入力されたパルス信号に応じて、輪列５０２を駆動して、指針を運針する。
【００７３】
制御回路５６１は、発光素子５５１を発光させることを示す発光信号を、機能回路５６２を介して発光素子５５１に出力する。また、制御回路５６１は、発光素子５５１から放射された光を受光したことを示す受光信号が、機能回路５６２を介して入力される。制御回路５６１は、受光信号が入力されるタイミングに基づいて、秒位置検出車５５０の位置を推定し、推定した秒位置検出車５５０に基づいて、指針の運針を制御する。制御回路５６１は、機能回路５６２が有するカウンタ回路をリセットするカウンタリセット信号、並びに指針の運針の開始及び停止を指示する運針信号等を含む制御信号を機能回路５６２に出力する。機能回路５６２は、制御回路５６１から入力される制御信号に応じてステップモータ５０１を制御する。
【００７４】
輪列受５０７は、光を透過する第１穴５７１、第２穴５７２及び第３穴５７３が形成され、且つ、輪列５０２を保持する。輪列受５０７の表面は、黒ニッケルめっき、黒ルテニウムめっき、ＤＬＣ等の黒色に施す表面処理により、入射した光を反射させにくくする反射抑止層が形成される。
【００７５】
第１穴５７１、第２穴５７２及び第３穴５７３のそれぞれは、四番車５２２の歯車が視認可能な位置に形成される。第１穴５７１は四番車５２２の軸と電池５０３との間に形成され、第２穴５７２は四番車５２２の軸と機能回路５６２との間に形成され、第３穴５７３は第１穴５７１に対して四番車５２２の軸を介して対抗する位置に形成される。
【００７６】
一方、輪列受５０７は、電子時計５００を平面視したときに秒位置検出車５５０と重畳する重畳部５７４には、光を透過する穴が形成されない。重畳部５７４は、図１９においてハッチングで示される。一方、光を透過する第１穴５７１、第２穴５７２及び第３穴５７３のそれぞれは、重畳部５７４以外の部分に形成される。
【００７７】
巻真５０８は、一端に操作部が配置され、他端につづみ車が係合され、操作部が操作されることに応じて中心車及び筒車５２３を回動させる部材である。
【００７８】
電子時計５００は、発振回路５４０を形成する水晶振動子５４１及び半導体回路５４３が光を透過しない収容部材に収容されるので、例えば裏蓋を透過部材であるガラスにして、四番車５２２の回転が視認できるようにした場合であっても、第１穴５７１〜第３穴５７３を介して内部に侵入した光が半導体回路５４３に到達するおそれが低い。電子時計５００では、半導体回路５４３に光が到達するおそれが低いので、半導体回路５４３は、光が照射されることにより発振回路５４０の特性が変化するおそれは低い。電子時計５００は、光が照射されることにより発振回路５４０の特性が変化するおそれが低いので、第１穴５７１〜第３穴５７３を介して内部に侵入した光により歩度が変化するおそれは低い。
【００７９】
図２４は図１６中のＣ-Ｃ矢視断面図である。
【００８０】
例えば裏蓋を透過部材であるガラスにした場合、第１穴５７１〜第３穴５７３から電子時計５００の内部に侵入した光Ｌは、輪列受５０７、地板５９１、回路押板５９２及び回路基板５９３等に反射しながら、発振装置５０４に到達する。しかしながら、発振回路５４０を形成する水晶振動子５４１及び半導体回路５４３は、光を透過しない収容部材である筐体５４４及びリッド５４５に収容されるので、水晶振動子５４１及び半導体回路５４３に光が到達するおそれは低い。電子時計５００では、半導体回路５４３に光が到達するおそれが低いので、半導体回路５４３は、光が照射されることにより発振回路５４０路の特性が変化するおそれは低い。
【００８１】
また、電子時計５００では、輪列受５０７及び地板５９１の表面は、黒色の表面処理により、入射した光を反射せずに吸収する反射抑止層が形成されるので、第１穴５７１〜第３穴５７３を介して内部に侵入した光が発振装置５０４に到達するおそれが低い。電子時計５００では、侵入した光が発振装置５０４に到達するおそれが低いので、半導体回路５４３を収容する筐体５４４が薄く光を透過しやすい場合でも、光が照射されることにより発振回路５４０の特性が変化するおそれは低い。電子時計５００は、光が照射されることにより発振回路５４０の特性が変化するおそれが低いので、第１穴５７１〜第３穴５７３を介して内部に侵入した光により歩度が変化するおそれは低い。
【００８２】
また、電子時計５００では、基準周波数信号の補正に使用される温度を測定する半導体回路５４３が水晶振動子５４１と共に筐体５４４の内部に収容されるので、半導体回路５４３が測定する温度と、水晶振動子５４１の温度とが略同一となる。電子時計５００では、温度検出素子５４２が測定する温度と、水晶振動子５４１の温度とが略同一となるので、半導体回路５４３による補正処理により発生する補正誤差を最小化できる。
【００８３】
また、電子時計５００では、水晶振動子５４１が筐体５４４の内部に収容されることで、電子時計５００の周囲の環境と遮断された環境に配置されるので、水晶振動子５４１は、湿度等の電子時計５００の周囲の環境条件の影響を低減できる。
【００８４】
また、電子時計５００では、電子時計５００を平面視したときに、発振回路５４０を備えた発振装置５０４は、ステップモータ５０１、電池５０３及び巻真５０８の何れにも重畳しないように配置されるので、電子時計５００は薄型化が可能である。
【００８５】
また、電子時計５００では、電子時計５００を平面視したときに秒位置検出車５５０と重畳する重畳部５７４には、光を透過する第１穴５７１〜第３穴５７３が形成されない。電子時計５００では、重畳部５７４に第１穴５７１〜第３穴５７３が形成されないので、第１穴５７１〜第３穴５７３を透過した光を受光素子５５２が受光して、針位置検出機構５０５が誤動作するおそれは低い。
【００８６】
また、電子時計５００では、輪列受５０７及び地板５９１の表面は、黒色の表面処理により反射抑止層が形成されるので、第１穴５７１〜第３穴５７３を透過した光を受光素子５５２が受光して、針位置検出機構５０５が誤動作するおそれは低い。
【００８７】
以上説明した構成は、裏蓋を透過部材であるガラスで形成した場合は、特にケース５９０外からの光に対し効果を奏するものである。しかしながら、裏蓋に光を透過しない部材を用いた場合であっても、これらの構成を採用することは、発光素子５５１以外の光又は迷光を排除するのに有効である。
【００８８】
電子時計の実施形態について説明したが、本発明は上記の実施形態に限定されない。当業者であれば、上記の実施形態の様々な変形が可能である。
【００８９】
また、当業者であれば、１つの実施形態に含まれる特徴は、矛盾が生じない限り、他の実施形態に組み込むことができる、又は、他の実施形態に含まれる特徴と交換可能である。
【００９０】
例えば、上記の実施形態では、強磁性金属で作製される受板として、ソーラーセル受板２２が例示されている。しかしながら、ムーブメントの他の構成部品を位置決め及び／又は支持する他の受板が、強磁性金属で作製されてもよい。
【００９１】
なお、実施形態に係る電子時計は、次の態様であってもよい。
（１）  ムーブメントを備える電子時計であって、
前記ムーブメントは、
ムーブメント本体と、
強磁性金属製の板と、
可撓性を有するフックと、
を有し、
前記板が、当該板の背面から突出し、かつ、前記フックの一方の端部を受け入れるように構成された係合部を含み、
前記フックの一方の端部は、前記フックを弾性変形させることによって前記係合部に受け入れられるように構成されており、前記フックの他方の端部は、前記ムーブメント本体に固定される、電子時計。
（２）  前記ムーブメント本体はモータを有し、
前記板の前記背面に対して垂直な方向から見た場合に、前記板と、前記ムーブメント本体のモータの少なくとも一部とが、重複して配置されている、（１）に記載の電子時計。
（３）  前記係合部は、前記板の法線方向から見た場合に、外部から印加される磁界に対して前記モータが最も影響を受ける方向上に配置されている、（２）に記載の電子時計。
（４）  前記フックは、前記係合部よりも高い可撓性を有する、（１）〜（３）のいずれか１つに記載の電子時計。
（５）  前記板は、ソーラーセルを支持する、（１）〜（４）のいずれか１つに記載の電子時計。
（６）  前記ムーブメントは、前記ムーブメント本体の回路基板と前記板とを電気的に接続するバネ部材を更に有する、（１）〜（５）のいずれか１つに記載の電子時計。
（７）  前記フックの前記他方の端部は、前記ムーブメント本体の回路基板と絶縁部材との間に固定される、（１）〜（６）のいずれか１つに記載の電子時計。
（８）  前記フックの前記他方の端部は、前記ムーブメント本体の２つの絶縁部材の間に挟まれて固定される、（１）〜（６）のいずれか１つに記載の電子時計。
（９）  前記フックの前記他方の端部は、前記ムーブメント本体の絶縁部材と一体に形成されている、（１）〜（６）のいずれか１つに記載の電子時計。
【符号の説明】
【００９２】
２・・・ムーブメント、３，５，６・・・フック、３Ａ，５Ａ，６Ａ・・・フックの第１の端部（一方の端部）、３Ｂ，５Ｂ，６Ｂ・・・フックの第２の端部（他方の端部）、４・・・係合部、２０・・・ムーブメント本体、２１・・・ソーラーセル、２２・・・ソーラーセル受板、２２ａ・・・ソーラーセル受板の背面、２６，５９３・・・回路基板、１００，２００，３００，４００，５００・・・電子時計、Ｂ２・・・アンテナ接続ばね（バネ部材）、Ｄ・・・外部から印加される磁界に対してモータが最も影響を受ける方向、Ｍ・・・モータ、５０３，９０１・・・電池、５９０，９０２・・・ケース、５０８，９０３・・・巻真、９０４ａ、９０４ｂ、９０４ｃ・・・穴、９０５・・・秒車。
【図１】
2019164112.tif 000003
【図２】
2019164112.tif 000004
【図３】
2019164112.tif 000005
【図４】
2019164112.tif 000006
【図５】
2019164112.tif 000007
【図６】
2019164112.tif 000008
【図７】
2019164112.tif 000009
【図８】
2019164112.tif 000010
【図９】
2019164112.tif 000011
【図１０】
2019164112.tif 000012
【図１１】
2019164112.tif 000013
【図１２】
2019164112.tif 000014
【図１３】
2019164112.tif 000015
【図１４】
2019164112.tif 000016
【図１５】
2019164112.tif 000017
【図１６】
2019164112.tif 000018
【図１７】
2019164112.tif 000019
【図１８】
2019164112.tif 000020
【図１９】
2019164112.tif 000021
【図２０】
2019164112.tif 000022
【図２１】
2019164112.tif 000023
【図２２】
2019164112.tif 000024
【図２３】
2019164112.tif 000025
【図２４】
2019164112.tif 000026